(57)【特許請求の範囲】
【請求項１】
内部に中空部を有し、第１筐体及び第２筐体の貫通孔同士を柔軟に連結する防水部材であって、
少なくとも一端部には、前記第１筐体の前記貫通孔と気密に接合する接続部と、前記第１筐体の外周に沿って前記第１筐体を防水する筐体用パッキンと、が一体形成され、
前記筐体用パッキンは前記接続部の側面から延伸し、
前記第１筐体が、前記接続部と前記筐体用パッキンとを狭持した形状に形成されており、
前記接続部は、
前記第１筐体の前記貫通孔に挿入されるパッキン形状部と、
該パッキン形状部の外周に設けられ、該貫通孔の内面に気密に接触するリブ部と、から形成されている、
ことを特徴とする防水部材。
【請求項２】
内部に中空部を有し、第１筐体及び第２筐体の貫通孔同士を柔軟に連結する防水部材であって、
少なくとも一端部には、前記第１筐体の前記貫通孔と気密に接合する接続部と、前記第１筐体の外周に沿って前記第１筐体を防水する筐体用パッキンと、が一体形成され、
前記筐体用パッキンは前記接続部の側面から延伸し、
前記第１筐体が、前記接続部と前記筐体用パッキンとを狭持した形状に形成されており、
前記接続部は、
前記第１筐体の前記貫通孔の内径より大きい外径を有し、該貫通孔の入口周縁を被覆する、パッキン形状部と、
前記防水部材の端面に設けられ、前記貫通孔の入口周縁に気密に接触するリブ部と、から形成されている、
ことを特徴とする防水部材。
【請求項３】
前記接続部の、前記第１筐体の前記貫通孔と気密に接合する面には、前記貫通孔の内面または入口周縁に気密に接触する凸形状部が設けられていることを特徴とする請求項１又は２に記載の防水部材。
【請求項４】
前記凸形状部は、前記接続部と一体形成されたリブであることを特徴とする請求項３に記載の防水部材。
【請求項５】
前記防水部材の前記接続部には、前記中空部に補強部材が挿入されていることを特徴とする請求項１乃至４のいずれか１項に記載の防水部材。
【請求項６】
前記補強部材は筒状の管部材であることを特徴とする請求項５に記載の防水部材。
【請求項７】
前記防水部材の中空部の内径と前記補強部材の内径とは、略同じ大きさであることを特徴とする請求項６に記載の防水部材。
【請求項８】
内部に中空部を有し、第１筐体及び第２筐体の貫通孔同士を柔軟に連結する防水部材であって、
少なくとも一端部には、前記第１筐体の前記貫通孔と気密に接合する接続部と、前記第１筐体の外周に沿って前記第１筐体を防水する筐体用パッキンと、が一体形成され、
前記筐体用パッキンは前記接続部の側面から延伸し、
前記第１筐体が、前記接続部と前記筐体用パッキンとを狭持した形状に形成されており、
前記防水部材の他端部には、テーパ部が設けられており、
該テーパ部には、前記第２筐体の貫通孔と気密に接合する第２接続部が気密に接続している、
ことを特徴とする防水部材。
【請求項９】
前記第２接続部は、管部材及びパッキン部とから構成され、
前記管部材は、一端部が前記テーパ部に気密に挿入されており、
前記パッキン部は前記管部材の他端部に設けられ、前記第２筐体の貫通孔に挿入され、該貫通孔の内面に気密に接触することを特徴とする請求項８に記載の防水部材。
【請求項１０】
前記管部材と前記パッキン部とは一体的に形成されていることを特徴とする請求項９に記載の防水部材。
【請求項１１】
内部に電子回路を有し、端部に貫通孔を有する第１筐体と、
内部に電子回路を有し、端部に貫通孔を有する第２筐体と、
前記第１筐体と前記第２筐体とを回動可能に連結するヒンジ部と、
前記ヒンジ部を介し、前記第１筐体の貫通孔と前記第２筐体の貫通孔を通って前記第１筐体と前記第２筐体の電子回路同士を電気的に接続するケーブルとを有し、
請求項１乃至１０のいずれか１項に記載の防水部材が前記ヒンジ部の内部に設けられ、
該防水部材の内部に前記ケーブルが挿通されることを特徴とする携帯電子機器。
【請求項１２】
前記接続部は、前記第１筐体と前記ヒンジ部との間に脱落不能に挟持固定されることを特徴とする請求項１１に記載の携帯電子機器。
【請求項１３】
請求項１乃至１０のいずれか１項に記載の防水部材を用いた防水方法。
【発明の詳細な説明】
【技術分野】
【０００１】
本発明は、防水部材、防水部材を備える携帯電子機器、及び防水方法に関し、特に折り畳み型携帯電子機器の筐体連結部分に用いる防水部材、防水方法に関するものである。
【背景技術】
【０００２】
表示部を有する第１ケースと、キー操作部を有する第２ケースと、をヒンジ部によって回転可能に連結した構成の携帯電子機器が実用化されている。このような携帯電子機器は、その使用環境に対応すべく防水性を備えていることが望ましく、第１ケースと第２ケースとを連結するヒンジ部にも、防水性が求められる。
【０００３】
防水性を有するヒンジ部として、特許文献１には、ケーブルが挿通され、シールとＯリングによって筐体の貫通孔に気密に接続されている防水チューブを備えるヒンジ部が開示されている。特許文献１に記載のヒンジ部では、図１２に示すように、防水チューブ１０１を筐体の貫通孔に気密に接続するため、防水チューブ１０１の先端に、別部材であるシール１０２とＯリング１０３が取り付けられている。また、防水チューブ１０１とシール１０２との接続部分の密着性を高めるため、防水チューブ１０１の周囲は熱収縮性チューブ１０４によって被覆されている。
【先行技術文献】
【特許文献】
【０００４】
【特許文献１】特開２００８−２６３２８５号公報
【発明の概要】
【発明が解決しようとする課題】
【０００５】
しかしながら特許文献１に記載された防水構造では、部品点数が増加し、組み立て工程及びコストが増加してしまうという問題点がある。また、防水チューブ１０１に、シール１０２を嵌め込むための嵌入部を設ける必要があるため、防水チューブ１０１の全長が増長し、ヒンジ部全体が大型化してしまうという問題点がある。
【０００６】
本発明はかかる問題点に鑑みてなされたものであり、低コストで製造可能で小型化が容易な防水部材、防水部材を備える携帯電子機器、及び低コストで確実に防水することのできる防水方法を提供することを目的とする。
【課題を解決するための手段】
【０００７】
上記課題を解決するため、本発明に係る防水部材は、内部に中空部を有し、第１筐体及び第２筐体の貫通孔同士を柔軟に連結する防水部材であって、少なくとも一端部には、前記第１筐体の前記貫通孔と気密に接合する接続部と、前記第１筐体の外周に沿って前記第１筐体を防水する筐体用パッキンと、が一体形成され、前記筐体用パッキンは前記接続部の側面から延伸し、前記第１筐体が、前記接続部と前記筐体用パッキンとを狭持した形状に形成されており、前記接続部は、前記第１筐体の前記貫通孔に挿入されるパッキン形状部と、該パッキン形状部の外周に設けられ、該貫通孔の内面に気密に接触するリブ部と、から形成されている、ことを特徴とする。
また、上記課題を解決するため、本発明に係る防水部材は、内部に中空部を有し、第１筐体及び第２筐体の貫通孔同士を柔軟に連結する防水部材であって、少なくとも一端部には、前記第１筐体の前記貫通孔と気密に接合する接続部と、前記第１筐体の外周に沿って前記第１筐体を防水する筐体用パッキンと、が一体形成され、前記筐体用パッキンは前記接続部の側面から延伸し、前記第１筐体が、前記接続部と前記筐体用パッキンとを狭持した形状に形成されており、前記接続部は、前記第１筐体の前記貫通孔の内径より大きい外径を有し、該貫通孔の入口周縁を被覆する、パッキン形状部と、前記防水部材の端面に設けられ、前記貫通孔の入口周縁に気密に接触するリブ部と、から形成されている、ことを特徴とする。
また、上記課題を解決するため、本発明に係る防水部材は、内部に中空部を有し、第１筐体及び第２筐体の貫通孔同士を柔軟に連結する防水部材であって、少なくとも一端部には、前記第１筐体の前記貫通孔と気密に接合する接続部と、前記第１筐体の外周に沿って前記第１筐体を防水する筐体用パッキンと、が一体形成され、前記筐体用パッキンは前記接続部の側面から延伸し、前記第１筐体が、前記接続部と前記筐体用パッキンとを狭持した形状に形成されており、前記防水部材の他端部には、テーパ部が設けられており、該テーパ部には、前記第２筐体の貫通孔と気密に接合する第２接続部が気密に接続していることを特徴とする。
【０００８】
また、上記課題を解決するため、本発明に係る携帯電子機器は、内部に電子回路を有し、端部に貫通孔を有する第１筐体と、内部に電子回路を有し、端部に貫通孔を有する第２筐体と、第１筐体と第２筐体とを回動可能に連結するヒンジ部と、前記ヒンジ部を介し、前記第１筐体の貫通孔と前記第２筐体の貫通孔を通って第１筐体と第２筐体の電子回路同士を電気的に接続するケーブルとを有し、上記防水部材が前記ヒンジ部の内部に設けられ、該防水部材の内部に前記ケーブルが挿通されることを特徴とする。
【０００９】
また、上記課題を解決するため、本発明に係る防水方法は、前記防水部材を用いたことを特徴とする。
【発明の効果】
【００１０】
本発明によれば、低コストで製造可能で小型化が容易な防水部材、及び防水部材を備える携帯電子機器、及び低コストで確実に防水することのできる防水方法を提供することができる。
【図面の簡単な説明】
【００１１】
【図１】本発明の実施形態１に係る防水部材の構造を示す断面図である。
【図２】本発明の実施形態２に係る防水チューブの一端を示す拡大図である。
【図３】本発明の実施形態２に係る防水チューブの他端を示す拡大図である。
【図４】本発明の実施形態２に係る防水チューブの防水構造を示す断面図である。
【図５】本発明の実施形態３に係る携帯電話を示す全体図である。
【図６】本発明の実施形態３に係る携帯電話のヒンジ部を示す分解図である。
【図７】本発明の実施形態３に係る携帯電話のヒンジ部を示す分解図である。
【図８】本発明の実施形態４に係る携帯電話を示す全体図である。
【図９ａ】本発明の実施形態４に係る防水チューブを示す概略図である。
【図９ｂ】図９ａにおけるＡ−Ａ断面図である。
【図９ｃ】図９ａにおけるＢ−Ｂ断面図である。
【図１０】本発明の実施形態５に係る防水チューブの一端を示す拡大図である。
【図１１】本発明の実施形態５に係る防水チューブの防水構造を示す断面図である。
【図１２】従来の防水チューブを示す断面図である。
【発明を実施するための形態】
【００１２】
以下、本発明の実施の形態について、図面を参照して説明する。
【００１３】
（実施形態１）
実施形態１に係る防水部材について、図１を参照して説明する。
【００１４】
防水部材８０は、２つの筐体の貫通孔同士を柔軟に連結するものであり、図１に断面で示すように、内部に中空部１２を備えている。また、防水部材８０の一端には、防水接続部３０が設けられている。防水接続部３０は、筐体の貫通孔と気密に接合するものであり、防水部材８０に一体成型されている。
【００１５】
上記実施形態１によると、防水部材８０と防水接続部３０とが一体成型されているため、防水部材に別部品の防水接続部を取り付けるものに比べ、部品点数、組み立て工程を削減することができ、低コストで製造可能となる。
また、防水部材８０にシール用の別部品を嵌め込むための嵌入部を設ける必要がないため、防水部材８０の小型化が容易となる。
【００１６】
（実施形態２）
実施形態２では、上記実施形態１に係る防水部材８０について、防水チューブ８を例にして、図２乃至図４を参照して説明する。なお、実施形態１と対応する各部には同一の番号を付す。
【００１７】
防水チューブ８は、シリコーンゴム等の柔軟性および耐水性を有する材料から構成されており、図４に示すように、中空部１２を備える。さらに、防水チューブ８は、一端に防水接続部３０を備え、他端にテーパ状に形成されたテーパ形状部１６を備える。防水接続部３０及びテーパ形状部１６は、射出成形により防水チューブ８に一体的に形成されている。
【００１８】
防水接続部３０は、図２に示すように、パッキン形状部９とその外周面に設けられる凸形状の防水リブ１０から構成される。パッキン形状部９は、後述する上部筐体１の貫通孔１５の形状に対応して、上部筐体１の幅方向に長い長円形状である。その外周面には防水リブ１０が一体成型されている。パッキン形状部９の外径は上部筐体１の貫通孔１５の内径より小さく、防水リブ１０の外径は上部筐体１の貫通孔１５の径より大きく形成されている。防水接続部３０は、上部筐体１の貫通孔１５の内周に防水リブ１０の外周が全周にわたって圧縮嵌合されるように、上部筐体１に装着される。貫通孔１５の内周面と径方向に圧縮された防水リブ１０との接触面により、気密性が確保され防水構造となる。
【００１９】
また、パッキン形状部９の中央部には、防水チューブ８の中空部１２に連通する中空部２６が形成されており、中空部２６には、金属管１３が挿入されている。図４に示すように、パッキン形状部９の中空部２６の内径は、防水チューブ８の中空部１２の内径より大きく形成されており、防水チューブ８の中空部１２の内径と金属管１３の内径とは、ほぼ同じ大きさとなっている。金属管１３は、パッキン形状部９と防水リブ１０を内側から支持し、貫通孔１５の内周へ防水リブ１０を付勢する。したがって、貫通孔１５の内周と防水リブ１０の外周は気密に嵌合される。
【００２０】
一方、図３に示すように、防水チューブ８の、テーパ形状部１６を有する端部には、防水チューブ８とは別部品のパッキン１７が配置されている。パッキン１７は、金属管１８とリングパッキン１９から構成されている。金属管１８は、一端が防水チューブ８のテーパ形状部１６に圧入される。リングパッキン１９は円形状で、インサート成形によって、金属管１８の外周に一体的に形成されている。パッキン１７は、後述する下部筐体２の貫通孔２０の内周にリングパッキン１９の外周が全周にわたって圧縮嵌合されるように、下部筐体２に装着される。貫通孔２０の内周面と径方向に圧縮されたリングパッキン１９との接触面により、気密性が確保され防水構造となる。
【００２１】
上記実施形態２によると、実施形態１と同様に、防水チューブ８と防水接続部３０とを一体成型により形成するため、防水チューブ８の外周に別部品の防水接続部を取り付けるものに比べ、低コストで製造可能で、小型化が容易となる。また、パッキン形状部９と防水リブ１０を内側から支持する金属管１３、及び貫通孔１５の内周に圧縮嵌合される防水リブ１０を備えているため、確実に防水することができる。
【００２２】
（実施形態３）
実施形態３では、上記実施形態２に係る防水チューブ８を備えた携帯電子機器について、携帯電話１００を例として、図４乃至図７を参照して説明する。防水チューブ８の構成は実施形態２と同一である。したがって、対応する各部には同一の番号を付す。
【００２３】
携帯電話１００は、図５に示すように、上部筐体１と、下部筐体２と、上部筐体１の端部と下部筐体２の端部とを回動可能に連結するヒンジ部４と、から構成された折り畳み型のものである。
【００２４】
上部筐体１は、合成樹脂等から形成され、種々の情報を表示する表示部３を備える。図６に示すように、上部筐体１の、携帯電話１００が開状態の時に下部筐体２と対抗する面には、上部筐体１の幅方向に長い長円形状の貫通孔１５が設けられている。
【００２５】
下部筐体２は、合成樹脂等から形成され、情報や指示を入力するためのキー操作部等を備える。図７に示すように、下部筐体２の、携帯電話１００が開状態の時に上部筐体１と対抗する面には、円形状の貫通孔２０が設けられている。
【００２６】
ヒンジ部４は、互いに直交する回転軸ＢＡと回転軸ＣＡとを有する２軸ヒンジから構成される。回転軸ＢＡを中心として上部筐体１を下部筐体２に対し回動させることで、携帯電話１００は開状態及び閉状態（折り畳み状態）となる。また、回転軸ＣＡを中心として上部筐体１を下部筐体２に対し回動させることで、上部筐体１の表裏を反転させることができる。
【００２７】
また携帯電話１００は内部に、電気信号用ケーブル５、コネクタ６，７、防水チューブ８、パッキン１７、開閉ヒンジ２１、回転ヒンジユニット２２、開閉リング２４を備える。
【００２８】
電気信号用ケーブル５は、ヒンジ部４を介して、上部筐体１と下部筐体２とを電気的に接続するためのものであり、数十本の細線同軸ケーブルの束から構成されている。電気信号用ケーブル５の、上部筐体１側の端部にはコネクタ６が接続され、下部筐体２側の端部にはコネクタ７が接続されている。また、電気信号用ケーブル５は防水チューブ８内に挿通されている。
【００２９】
コネクタ６は、貫通孔１５を介して上部筐体１に挿入され、内部の回路基板に接続されている。一方、コネクタ７は、貫通孔２０を介して下部筐体２に挿入され、内部の回路基板に接続されている。
【００３０】
防水チューブ８の防水接続部３０は、上部筐体１の貫通孔１５と気密に嵌合している。また、パッキン１７は、下部筐体２の貫通孔２０と嵌合している。上部筐体１の貫通孔１５と下部筐体２の貫通孔２０とが、防水チューブ８及びパッキン１７と気密に嵌合しているため、携帯電話１００は防水構造となっている。
【００３１】
開閉ヒンジ２１は、ヒンジ部４の内部に配置されており、開閉動作時のクリック感を発生し、回転角度を規制する機構を持つ。これと対になって、ヒンジ部４の内部には、回転軸の中心合わせを維持させる開閉リング２４が配置されている。開閉ヒンジ２１は、軸線ＢＡを中心として上部筐体１を下部筐体２に対し回動させることができる。
【００３２】
回転ヒンジユニット２２は、軸線ＢＡに直交する軸線ＣＡを中心として回動可能であり、上部筐体１と下部筐体２とを回動可能に連結している。また、回転ヒンジユニット２２は貫通孔２５を有しており、貫通孔２５には防水チューブ８が挿通される。図４に示すように、回転ヒンジユニット２２の一端部は上部筐体１にボルト３２によって固定されている。そして防水接続部３０は、上部筐体１と回転ヒンジユニット２２との間に挟持されている。したがって、上部筐体１の貫通孔１５から防水リブ１０が抜ける虞がなく、確実にヒンジ部４を防水することができる。
【００３３】
次に実施形態３に係る携帯電話１００の組み立て工程について説明する。以下の説明では、構成部品は図２乃至７に示すものと同一である。
【００３４】
まず、射出成形により形成したパッキン形状部９、防水リブ１０、テーパ形状部１６を備える防水チューブ８の、パッキン形状部９の中空部２６へ金属管１３を挿入する。 
【００３５】
次に、コネクタ６，７が取り付けられていない電気信号用ケーブル５を、金属管１３側から防水チューブ８の内側へ通す。そして、電気信号用ケーブル５を内側に通した防水チューブ８を、回転ヒンジユニット２２の貫通孔２５および開閉リング２４の内側に通す。
【００３６】
次に、防水チューブ８の下部筐体２側端部から出ている電気信号用ケーブル５を、パッキン１７の金属管１８に通す。そして、電気信号用ケーブル５が通ったパッキン１７の金属管１８を防水チューブ８の下部筐体２側のテーパ形状部１６端へ挿入する。
【００３７】
以上の工程により、電気信号用ケーブル５、防水チューブ８、回転ヒンジユニット２２、開閉リング２４、パッキン１７が連結される。その後、電気通信用ケーブル５の両端部にコネクタ６，７を接続する。
【００３８】
次に、コネクタ６を上部筐体１の貫通孔１５から上部筐体１内部に挿通させ、防水チューブ８端のパッキン形状部９を上部筐体１の貫通孔１５に嵌めこむ。さらに、防水リブ１０の全周を表示筐体の貫通孔１５内面と接触させ、防水リブ１０を圧縮させる。
その後、回転ヒンジユニット２２の一端を上部筐体１にボルト３２によって固定する。
【００３９】
一方、コネクタ７は、下部筐体２の貫通孔２０から下部筐体２の内部に挿通させ、パッキン１７のリングパッキン１９を下部筐体２の貫通孔２０に嵌めこむ。さらに、リングパッキン１９の全周で下部筐体２の貫通孔２０内面と接触させ、リングパッキン１９を圧縮させる。
【００４０】
以上の工程により、上部筐体１の貫通孔１５と防水チューブ８との接続部は、防水リブ１０の全周圧縮により、気密性が確保され防水構造となる。一方、下部筐体２の貫通孔２０とパッキン１７との接続部も、リングパッキン１９の全周圧縮により、機密性が確保され防水構造となる。また、防水リブ１０と防水チューブ８は一体化されているため、気密性を備えており、パッキン１７と防水チューブ８とは金属管１８が圧入されることにより気密性が維持される。
【００４１】
（実施形態４）
次に、実施形態４について、図８及び図９ａ乃至９ｃを参照して説明する。
【００４２】
上記実施形態３において、上部筐体１及び下部筐体２は一部品で構成されていたが、筐体の構成は上記実施形態３に限るものではない。実施形態３とは異なり、実施形態４に係る携帯電話２００は、図８に示すように、上部筐体５０が、２つに分割されたケース２７，２８から構成されている。そして、そのケース２７，２８の合わせ面には、破線で示すように筐体用パッキン２９が挟持されている。
その他の基本的な構成は実施形態３と同一である。したがって、図８、図９ａ乃至９ｃにおいて、図４及び図５の構成部分と対応する各部には同一の番号を付す。
【００４３】
筐体用パッキン２９は、上部筐体５０の内部に水が浸入することを防ぐためのものであり、防水チューブ３１とは別部材であってもよい。しかし、実施形態４においては、筐体用パッキン２９は、図９ａに示すように、防水チューブ３１に一体成形されており、防水チューブ３１の防水接続部３０から上部筐体５０の外周に沿うように延びている。また、図９ａ乃至９ｃに示すように、防水チューブ３１のパッキン形状部９の外周面に一体形成されている防水リブ１０は、筐体用パッキン２９のケース２７，２８と当接する面にも延びて一体的に形成されている。
【００４４】
携帯電話２００の組み立ての工程では、まず、射出成形により形成した筐体用パッキン２９を備える防水チューブ３１に実施形態２と同様に金属管１３や電気信号用ケーブル５を挿通する。その後、ケース２８に防水チューブ３１の筐体用パッキン２９、及び防水接続部３０を嵌めこむ。そして上からケース２９を被せ、ケース２８とケース２９とを固定する。
【００４５】
上記実施形態４によると、筐体用パッキン２９と防水チューブ３１とを一体成形により形成するため、筐体用パッキン２９と防水チューブ３１とを別部品で形成するものに比べ、部品点数を削減することができ、低コストで製造可能となる。また、筐体用パッキン２９と防水チューブ３１との間に間隙が生じないため、確実に防水することができる。
【００４６】
（実施形態５）
上記実施形態３、４において、防水チューブ８、３１の防水リブ１０は、パッキン形状部９の外周方向に凸となる形状であったが、防水リブの構成は上記実施形態３、４に限るものではない。実施形態３、４とは異なり、実施形態５に係る防水チューブ４０の防水リブ４１は、図１０、図１１に示すように、パッキン形状部９の上部方向、つまり上部筐体１の貫通孔１５への防水チューブ４０の挿入方向に凸となる形状となっている。
その他の基本的な構成は実施形態２と同一である。したがって、図１０、図１１において、図２、図４の構成部分と対応する各部には同一の番号を付す。
【００４７】
実施形態５においては、防水チューブ４０のパッキン形状部９の外径は上部筐体１の貫通孔１５の径より大きく形成されている。また、防水リブ４１は、防水チューブ４０の上部筐体１側の端面の周縁部分に、全周にわたって形成されている。上部筐体１には、貫通孔１５の周縁部４３に、貫通孔１５より大きな径を有する溝４４が形成されており、防水チューブ４０のパッキン形状部９は、溝４４内に挿入され、上部筐体１の貫通孔１５の周縁部４３に防水リブ４１を介して当接している。なお、上部筐体１に溝４４を形成せず、上部筐体１の貫通孔１５の周縁部４３に、防水チューブ４０のパッキン形状部９を、そのまま当接させてもよい。
【００４８】
また、回転ヒンジユニット２２は、上部筐体１との間に防水チューブ４０を長手方向に圧縮させた状態で溝４４内に挟持して、上部筐体１に固定されている。そのため、上部筐体１の貫通孔１５の周縁部４３と防水チューブ４０のパッキン形状部９との間で防水リブ４１が全周にわたって圧縮され、貫通孔１５の周縁部４３と防水リブ４１との接触面により、気密性が確保され防水構造となる。
【００４９】
上記実施形態２乃至５では、貫通孔１５の内周へ防水リブ１０，４１を付勢するため、金属管１３を防水チューブ８，３１，４０へ挿入した。しかし、パッキン形状部９が、貫通孔１５の内周へ防水リブ１０，４１を付勢することができる程度に剛性を有している場合、金属管１３を省略することもできる。
【００５０】
また、防水接続部３０は、防水チューブ８，３１，４０の両端部に設けられていてもよい。その場合、下部筐体２の貫通孔２０は上部筐体１，５０の貫通孔１５と同様に、防水リブ１０，４１によって気密に封止される。
【００５１】
また、防水リブ１０，４１及びリングパッキン１９は、円形状、長円形状でなくてもよい。貫通孔１５，２０を気密に封止することが可能であれば、任意の形状が可能である。
【００５２】
また、上記実施形態２乃至５では、防水接続部３０側に防水リブ１０，４１を設けたが、上部筐体１，５０側に防水リブを設け、上部筐体１，５０と防水接続部３０との間を気密に封止してもよい。
【００５３】
さらに上記の防水部材が設けられる携帯電子機器は、携帯電話に限定されるものではない。ヒンジ部を有するものであれば、小型パーソナルコンピュータ、ゲーム機、ＰＤＡ等、その他の携帯電子機器にも適用することができる。
【符号の説明】
【００５４】
１，５０…上部筐体
２…下部筐体
３…表示部
４…ヒンジ部
５…電気信号用ケーブル
６，７…コネクタ
８，３１，４０…防水チューブ
９…パッキン形状部
１０，４１…防水リブ
１２…中空部
１３…金属管
１５…上部筐体の貫通孔
１６…テーパ形状部
１７…パッキン
１８…金属管
１９…リングパッキン
２０…下部筐体の貫通孔
２１…開閉ヒンジ
２２…回転ヒンジユニット
２４…開閉リング
２５…貫通孔
２６…中空部
２７，２８…ケース
２９…筐体用パッキン
３０…防水接続部
３２…ボルト
４３…周縁部
４４…溝
８０…防水部材
１００，２００…携帯電話
【図１】
0005991569.tif 000002
【図２】
0005991569.tif 000003
【図３】
0005991569.tif 000004
【図４】
0005991569.tif 000005
【図５】
0005991569.tif 000006
【図６】
0005991569.tif 000007
【図７】
0005991569.tif 000008
【図８】
0005991569.tif 000009
【図９ａ】
0005991569.tif 000010
【図９ｂ】
0005991569.tif 000011
【図９ｃ】
0005991569.tif 000012
【図１０】
0005991569.tif 000013
【図１１】
0005991569.tif 000014
【図１２】
0005991569.tif 000015